(57)【要約】【課題】接触面における手触りを変更可能かつ小型化可能なスイッチ装置、そのスイッチ装置が設けられた電子機器の制御方法、及びそのスイッチ装置が設けられた電子機器の制御装置を提供する。【解決手段】スイッチ装置２０は、スイッチ本体２１０と、１０ｋＨｚ以上の周波数で振動可能な圧電／電歪装置２２０とを備える。圧電／電歪装置２２０は、スイッチ本体２１０と対向する圧電／電歪素子２２１と、圧電／電歪素子２２１上に配置されるボタン部２２２とを有する。ボタン部２２２は、ユーザの指が接触する接触面２２２Ｓを含む。【選択図】図２
2015187933.tif 000002
【特許請求の範囲】
【請求項１】
スイッチ本体と、
前記スイッチ本体上に配置され、１０ｋＨｚ以上の周波数で振動可能な圧電／電歪装置と、
を備え、
前記圧電／電歪装置は、前記スイッチ本体と対向する圧電／電歪素子を有し、ユーザの指が接触する接触面を含む、
スイッチ装置。
【請求項２】
前記接触面における表面粗さＲａは、０．２μｍ以上２０μｍ以下である、
請求項１に記載のスイッチ装置。
【請求項３】
前記接触面に配置され、ユーザの指が前記接触面に接触したことを検出する接触センサをさらに備える、
請求項１又は２に記載のスイッチ装置。
【請求項４】
スイッチ本体と、
前記スイッチ本体上に配置され、１０ｋＨｚ以上の周波数で振動可能な圧電／電歪装置と、
前記圧電／電歪装置を駆動させる駆動制御部と、
を備え、
前記圧電／電歪装置は、前記スイッチ本体と対向する圧電／電歪素子を有し、ユーザの指が接触する接触面を含む、
スイッチ装置。
【請求項５】
前記駆動制御部は、前記接触面が１次共振周波数からｎ次共振周波数（ｎは２以上の整数）のうち２次以上の共振周波数で振動するように前記圧電／電歪素子を駆動させる、
請求項４に記載のスイッチ装置。
【請求項６】
前記駆動制御部は、前記接触面の振幅が変調するように前記圧電／電歪素子を駆動させる、
請求項４又は５に記載のスイッチ装置。
【請求項７】
前記駆動制御部は、前記接触面の振動周波数が変調するように前記圧電／電歪素子を駆動させる、
請求項４乃至６のいずれかに記載のスイッチ装置。
【請求項８】
スイッチ本体と、前記スイッチ本体と対向する圧電／電歪素子を有し、ユーザの指が接触する接触面を含む圧電／電歪装置とを備えるスイッチ装置が設けられた電子機器の制御方法であって、
前記接触面が押されることによって前記スイッチ本体がＯＮ状態となったことに応じて、前記電子機器に係る所定処理を開始するとともに、１０ｋＨｚ以上の周波数で前記接触面を振動させる工程と、
前記所定処理が完了したことに応じて、前記接触面の振動を停止する工程と、
を備える電子機器の制御方法。
【請求項９】
スイッチ本体と、前記スイッチ本体と対向する圧電／電歪素子を有し、ユーザの指が接触する接触面を含む圧電／電歪装置とを備えるスイッチ装置が設けられた電子機器の制御方法であって、
１０ｋＨｚ以上の周波数で前記接触面を振動させる工程と、
前記接触面が押されることによって前記スイッチ本体がＯＮ状態となったことに応じて、前記電子機器に係る所定処理を開始するとともに、前記接触面の振動を停止する工程と、
前記所定処理が完了したことに応じて、１０ｋＨｚ以上の周波数で前記接触面を再び振動させる工程と、
を備える電子機器の制御方法。
【請求項１０】
スイッチ本体と、前記スイッチ本体と対向する圧電／電歪素子を有し、ユーザの指が接触する接触面を含む圧電／電歪装置とを備えるスイッチ装置が設けられた電子機器の制御装置であって、
前記接触面が押されることによって前記スイッチ本体がＯＮ状態となったことに応じて、前記電子機器に係る所定処理を開始するとともに、１０ｋＨｚ以上の周波数で前記接触面を振動させた後、前記所定処理が完了したことに応じて、前記接触面の振動を停止する、
電子機器の制御装置。
【請求項１１】
スイッチ本体と、前記スイッチ本体と対向する圧電／電歪素子を有し、ユーザの指が接触する接触面を含む圧電／電歪装置とを備えるスイッチ装置が設けられた電子機器の制御装置であって、
１０ｋＨｚ以上の周波数で前記接触面を振動させた後に、前記接触面が押されることによって前記スイッチ本体がＯＮ状態となったことに応じて、前記電子機器に係る所定処理を開始するとともに、前記接触面の振動を停止し、その後、前記所定処理が完了したことに応じて、１０ｋＨｚ以上の周波数で前記接触面を再び振動させる、
電子機器の制御装置。
【発明の詳細な説明】
【技術分野】
【０００１】
本発明は、圧電／電歪装置を備えるスイッチ装置、そのスイッチ装置が設けられた電子機器の制御方法、及びそのスイッチ装置が設けられた電子機器の制御装置に関する。
【背景技術】
【０００２】
従来、基板の裏面にマトリックス状に配置された複数の圧電セラミックス層を備えるタッチインターフェースが提案されている（特許文献１参照）。このタッチインターフェースでは、複数の圧電セラミックス層を所定方向に伝播するラム波によって基板の表面における手触りを変更できるとされている。
【先行技術文献】
【特許文献】
【０００３】
【特許文献１】特開２０１０−５１８５００号公報
【発明の概要】
【発明が解決しようとする課題】
【０００４】
ところで、カメラや携帯電話などの電子機器では、ボタンの手触り（例えば、ヌルヌル、ザラザラ、ツルツル、サラサラなど）を変更することによって、１つのボタンに多様な機能を付与したいという要請がある。
【０００５】
しかしながら、特許文献１のタッチインターフェースでは、複数の圧電セラミックス層を所定方向に並べる必要があるため、１つのボタンに組み込めるほど小型化することは困難である。
【０００６】
本発明は、上述の状況に鑑みてなされたものであり、接触面における手触りを変更可能かつ小型化可能なスイッチ装置、そのスイッチ装置が設けられた電子機器の制御方法、及びそのスイッチ装置が設けられた電子機器の制御装置を提供することを目的とする。
【課題を解決するための手段】
【０００７】
本発明に係るスイッチ装置は、スイッチ本体と、スイッチ本体上に配置される圧電／電歪装置とを備える。圧電／電歪素子は、スイッチ本体と対向し、１０ｋＨｚ以上の周波数で振動可能である。圧電／電歪装置は、圧電／電歪素子を有し、ユーザの指が接触する接触面を含む。
【発明の効果】
【０００８】
本発明によれば、接触面における手触りを変更可能かつ小型化可能なスイッチ装置、そのスイッチ装置が設けられた電子機器の制御方法、及びそのスイッチ装置が設けられた電子機器の制御装置を提供することができる。
【図面の簡単な説明】
【０００９】
【図１】電子機器の構成を示す平面図
【図２】図１のＡ−Ａ断面図
【図３】ユーザの操作に応じた駆動制御部及び機器制御部の動作を説明するための図
【図４】電子機器の構成を示す断面図
【発明を実施するための形態】
【００１０】
以下、図面を参照しながら、本発明に係るスイッチ装置の構成及び制御方法について説明する。以下の図面の記載では、同一又は類似の部分に同一又は類似の符号が付されている。図面は模式的なものであり、各寸法の比率等は現実のものとは異なっている場合がある。従って、具体的な寸法等は以下の説明を参酌して判断すべきものである。また、図面相互間においても互いの寸法の関係や比率が異なる部分が含まれていることは勿論である。
【００１１】
（電子機器１の構成）
電子機器１の構成について、図面を参照しながら説明する。図１は、電子機器１の構成を示す平面図である。図２は、図１のＡ−Ａ断面図である。
【００１２】
電子機器１は、種々のボタンが表面に設けられた電気製品である。電子機器１としては、例えば、デジタルカメラやビデオカメラを含む撮像機器、スマートフォンやタブレット型デバイスを含む携帯情報端末、パーソナルコンピュータ、マウスやキーボードを含むパーソナルコンピュータ周辺機器、及び生活家電などが挙げられる。
【００１３】
電子機器１は、図１及び図２に示すように、筐体１０と、スイッチ装置２０と、機器制御部３０とを備える。
【００１４】
筐体１０は、樹脂材料やＳＵＳなどの合金材料によって構成することができる。筐体１０は、支持部１１０と、固定部１２０とを有する。支持部１１０は、スイッチ装置２０を支持する。固定部１２０は、支持部１１０上に配置される。固定部１２０は、スイッチ装置２０を取り囲む。
【００１５】
スイッチ装置２０は、スイッチ本体２１０と、圧電／電歪装置２２０と、スイッチ回路２３０と、駆動制御部２４０とを有する。
【００１６】
本実施形態に係るスイッチ本体２１０は、いわゆるメンブレンスイッチであり、自動復帰型スイッチの一種である。スイッチ本体２１０は、図２に示すように、メタルドーム２１１と、円板電極２１２と、一対の離間電極２１３と、スペーサ２１４とを有する。メタルドーム２１１は、筐体１０の支持部１１０上に配置される。メタルドーム２１１は、カップ状に形成される。メタルドーム２１１は、可撓性を有する。メタルドーム２１１は、支持部１１０側に押圧されることで座屈し、押圧力がなくなると元の形状に復元する。円板電極２１２は、メタルドーム２１１の天井面に固定される。一対の離間電極２１３は、円板電極２１２と対向するように支持部１１０上に固定される。メタルドーム２１１が座屈すると、円板電極２１２が一対の離間電極２１３と接触する。スペーサ２１４は、メタルドーム２１１と圧電／電歪装置２２０の間に配置される。スペーサ２１４は、メタルドーム２１１上に固定されていてもよい。スペーサ２１４は、ジルコニアやアルミナによって構成することができる。
【００１７】
圧電／電歪装置２２０は、スイッチ本体２１０上に配置される。圧電／電歪装置２２０は、スイッチ本体２１０から離間していてもよい。圧電／電歪装置２２０は、１０ｋＨｚ以上の高周波数で振動可能である。圧電／電歪装置２２０は、圧電／電歪素子２２１と、ボタン部２２２と、接着層２２３とを有する。
【００１８】
本実施形態に係る圧電／電歪素子２２１は、円板状に形成される。圧電／電歪素子２２１の直径は例えば５ｍｍ〜２０ｍｍとすることができ、圧電／電歪素子２２１の厚みは例えば０．１ｍｍ〜１ｍｍとすることができる。圧電／電歪素子２２１は、スイッチ本体２１０と対向する。圧電／電歪素子２２１は、圧電体２２１ａと、第１電極２２１ｂと、第２電極２２１ｃとを含む。圧電体２２１ａは、薄板状の焼成体である。圧電体２２１ａは、例えばチタン酸ジルコン酸塩（ＰＺＴ）やＢａＴｉＯ３などの多結晶圧電材料によって構成される。このような圧電体２２１ａは、電圧が印加されると厚み方向に垂直な面方向に伸縮する。第１電極２２１ｂは、圧電体２２１ａの第１主面Ｓ１上に形成される。第２電極２２１ｃは、圧電体２２１ａの第２主面Ｓ２上に形成される。本実施形態において、第２電極２２１ｃの一部は第１主面Ｓ１上まで延在している。第１電極２２１ｂと第２電極２２１ｃは、ＡｕやＡｇ−Ｐｂなどによって構成することができる。
【００１９】
本実施形態に係るボタン部２２２は、円板状に形成される。ボタン部２２２の直径は例えば５ｍｍ〜２０ｍｍとすることができ、ボタン部２２２の厚みは例えば０．１ｍｍ〜１ｍｍとすることができる。ボタン部２２２は、圧電／電歪素子２２１上に配置される。ボタン部２２２は、接着層２２３（例えば、アクリル系樹脂など）を介して圧電／電歪素子２２１に接着される。ボタン部２２２は、ユーザの指が接触する接触面２２２Ｓを有する。ユーザは、電子機器１に係る所定処理を開始したい場合、接触面２２２Ｓを指で押すことによってスイッチ本体２１０をＯＮ状態にする。ボタン部２２２は、ジルコニアなどのセラミック材料、ＳＵＳやＢｅＣｕなどの合金材料、プラスチックなどの樹脂材料によって構成することができる。
【００２０】
ここで、圧電体２２１ａが面方向に伸縮すると、ボタン２２２の接触面２２２Ｓが厚み方向に１０ｋＨｚ以上の高周波数で振動（変位）する。このように接触面２２２Ｓが振動すると、接触面２２２Ｓと指の間の空気が圧縮／伸張されることによってスクイーズ効果が発現する。スクイーズ効果が発現すると、接触面２２２Ｓと指の間の空気の粘度が高くなり、ユーザは指先にヌルヌルした手触りやサラサラした手触りを感じる。このようなスクイーズ効果の強弱は、接触面２２２Ｓの振動周波数と変位量によって変化するものであり、振動周波数が高いほど小さな変位量で強いスクイーズ効果を得ることができる。例えば、振動周波数が１０ｋＨｚである場合、変位量は１μｍ以上であることが好ましく、１．１μｍ以上であることがより好ましい。また、振動周波数が２０ｋＨｚである場合、変位量は０．７μｍ以上であることが好ましく、０．８μｍ以上であることがより好ましい。振動周波数が５８ｋＨｚである場合、変位量は０．４μｍ以上であることが好ましく、０．４５μｍ以上であることがより好ましい。
【００２１】
また、接触面２２２Ｓの表面粗さＲａは、０．２μｍ以上２０μｍ以下であることが好ましい。表面粗さＲａを０．２μｍ以上とすることによって、スクイーズ効果の発現を手触りの変化としてユーザに感じさせやすくなる。また、表面粗さＲａを２０μｍ以下とすることによって、接触面２２２Ｓが粗すぎて手触りが変化しなくなってしまうことを抑えることができる。表面粗さＲａは、ＪＩＳ規格Ｂ０６０１−２００１に準拠して接触式表面粗さ計を用いて測定することができる。本実施形態に係る表面粗さＲａは、東京精密社製の接触式表面粗さ計を用いて測定した平均値である。
【００２２】
また、接触面２２２Ｓは、凹面であることが好ましい。接触面２２２Ｓが凹んでいることによって、接触面２２２Ｓと指の接触面積が広くなって空気が効率的に圧縮／伸張されるとともに、手触りを感じる指の面積を広げることができる。その結果、スクイーズ効果の発現を手触りの変化としてユーザに感じさせやすくなる。
【００２３】
スイッチ回路２３０は、第１配線Ｌ１と、第２配線Ｌ２と、駆動スイッチＳＷと、交流電源ＡＣとを有する。第１配線Ｌ１は第１電極２２１ｂに接続され、第２配線Ｌ２は第２電極２２１ｃに接続される。駆動スイッチＳＷは、第１配線Ｌ１と第２配線Ｌ２それぞれの先端に接続される。交流電源ＡＣは、第１配線Ｌ１上に設けられる。交流電源ＡＣは、接触面２２２Ｓを１０ｋＨｚ以上の周波数で振動させることができる程度の交流電圧を発生させる。
【００２４】
駆動制御部２４０は、機器制御部３０と通信可能である。駆動制御部２４０は、駆動スイッチＳＷおよび交流電源ＡＣと電気的に接続される。駆動制御部２４０は、機器制御部３０からの指示に応じて、駆動スイッチＳＷのＯＮ／ＯＦＦを切り換える。駆動制御部２４０が駆動スイッチＳＷをＯＮに切り換えると、交流電源ＡＣの交流電圧が第１及び第２配線Ｌ１，Ｌ２を介して第１及び第２電極２２１ｂ，２２１ｃに印加される。これによって、接触面２２２Ｓが１０ｋＨｚ以上の周波数で振動する。駆動制御部２４０が駆動スイッチＳＷをＯＦＦに切り換えると、交流電源ＡＣの交流電圧は印加されなくなり、接触面２２２Ｓの振動は停止する。
【００２５】
ここで、駆動制御部２４０は、交流電源ＡＣの交流周波数を制御することによって、接触面２２２Ｓが所定の共振周波数で振動するように圧電／電歪素子２２１を駆動させる。これによって、スクイーズ効果を効率的に発現させることができる。また、駆動制御部２４０は、交流電源ＡＣの交流周波数を制御することによって、接触面２２２Ｓが１次共振周波数からｎ次共振周波数（ｎは２以上の整数）のうち２次以上の共振周波数で振動するように圧電／電歪素子２２１を駆動させることが好ましい。これによって、より高い周波数で接触面２２２Ｓを振動させられるため、圧電／電歪装置２２０のサイズが大きい場合にもスクイーズ効果が得られやすくなる。
【００２６】
また、駆動制御部２４０は、交流電源ＡＣの交流電圧を制御することによって、接触面２２２Ｓの振幅が変調するように圧電／電歪素子２２１を駆動可能であってもよい。さらに、駆動制御部２４０は、交流電源ＡＣの交流周波数を制御することによって、接触面２２２Ｓの振動周波数が変調するように圧電／電歪素子２２１を駆動可能であってもよい。このように、接触面２２２Ｓの振幅や振動周波数を変調させることによって、接触面２２２Ｓの手触りをより多様に変化させることが可能となる。
【００２７】
機器制御部３０は、電子機器１を統合的に制御するための制御装置の一例である。機器制御部３０は、一対の離間電極２１３と電気的に接続される。機器制御部３０は、一対の離間電極２１３が通電したことに基づいて、スイッチ本体２１０がＯＮ状態となったことを検知する。また、機器制御部３０は、一対の離間電極２１３が通電していないことに基づいて、スイッチ本体２１０がＯＦＦ状態となったことを検出する。機器制御部３０は、スイッチ本体２１０がＯＮ状態となったことを検出した場合、電子機器に係る所定処理を開始するとともに、駆動制御部２４０に対して駆動スイッチＳＷのＯＮ（又はＯＦＦ）を指示する。これによって、接触面２２２Ｓの振動が開始（又は停止）する。なお、電子機器に係る所定処理としては、例えば、デジタルカメラにおける“オートフォーカス動作”やタブレット型デバイスにおける“画面スクロール動作”などが挙げられるが、これに限られるものではない。その後、機器制御部３０は、所定処理が完了した場合、駆動制御部２４０に対して駆動スイッチＳＷのＯＦＦ（又はＯＮ）を指示する。これによって、接触面２２２Ｓの振動が停止（又は開始）する。
【００２８】
（電子機器１の制御方法）
駆動制御部２４０及び機器制御部３０による電子機器１の制御方法について、図面を参照しながら説明する。図３は、ユーザの操作に応じた駆動制御部２４０及び機器制御部３０の動作を説明するための図である。図３に示すように、駆動制御部２４０の動作には３パターンあるため、以下各パターンごとに説明する。
【００２９】
１．第１パターンＰ１
図３（ａ）に示すように、ユーザが指でボタン部２２２を押下するまで、駆動制御部２４０は接触面２２２Ｓの振動を停止させている。
【００３０】
図３（ｂ）に示すように、ユーザが指でボタン部２２２を押下してスイッチ本体２１０がＯＮ状態になると、機器制御部３０は電子機器１に係る所定処理（オートフォーカス動作や画面スクロール動作など）を開始し、駆動制御部２４０は接触面２２２Ｓを振動させる。これにより、指先がヌルヌルした感触になるため、ユーザは所定処理が開始されたことを認識できる。
【００３１】
図３（ｃ）に示すように、機器制御部３０が電子機器１に係る所定処理を完了すると、駆動制御部２４０は接触面２２２Ｓの振動を停止させる。これにより、指先のヌルヌルした感触がなくなるため、ユーザは所定処理が完了したことを認識できる。
【００３２】
その後、ユーザが指をボタン部２２２から離すると、図３（ａ）の状態に戻る。
【００３３】
２．第２パターンＰ２
図３（ａ）に示すように、ユーザが指でボタン部２２２を押下するまで、駆動制御部２４０は接触面２２２Ｓの振動を停止させている。
【００３４】
図３（ｂ）に示すように、ユーザが指でボタン部２２２を押下してスイッチ本体２１０がＯＮ状態となると、機器制御部３０は電子機器１に係る所定処理を開始するが、駆動制御部２４０は接触面２２２Ｓの振動を停止した状態を維持する。ユーザはスイッチ本体２１０が座屈したことを指先で感じることによって、所定処理が開始されたことを認識できる。
【００３５】
図３（ｃ）に示すように、機器制御部３０が電子機器１に係る所定処理を完了すると、駆動制御部２４０は接触面２２２Ｓの振動を開始する。これにより、指先がヌルヌルした感触になるため、ユーザは所定処理が完了したことを認識できる。
【００３６】
図３（ｄ）に示すように、ユーザが指をボタン部２２２から離すると、図３（ａ）の状態に戻る。
【００３７】
３．第３パターンＰ３
図３（ａ）に示すように、ユーザが指でボタン部２２２を押下するまで、駆動制御部２４０は接触面２２２Ｓを振動させている。
【００３８】
図３（ｂ）に示すように、ユーザが指でボタン部２２２を押下してスイッチ本体２１０がＯＮ状態となると、機器制御部３０は電子機器１に係る所定処理を開始し、駆動制御部２４０は接触面２２２Ｓの振動を停止する。これにより、指先のヌルヌルした感触がなくなるため、ユーザは所定処理が完了したことを認識できる。
【００３９】
図３（ｃ）に示すように、機器制御部３０が電子機器１に係る所定処理を完了すると、駆動制御部２４０は接触面２２２Ｓを再び振動させる。これにより、指先がヌルヌルした感触になるため、ユーザは所定処理が完了したことを認識できる。
【００４０】
図３（ｄ）に示すように、ユーザが指をボタン部２２２から離すると、図３（ａ）の状態に戻る。
【００４１】
（特徴）
（１）本実施形態に係るスイッチ装置２０は、スイッチ本体２１０と、１０ｋＨｚ以上の周波数で振動可能な圧電／電歪装置２２０とを備える。圧電／電歪装置２２０は、スイッチ本体２１０と対向する圧電／電歪素子２２１と、圧電／電歪素子２２１上に配置されるボタン部２２２とを有する。ボタン部２２２は、ユーザの指が接触する接触面２２２Ｓを含む。
【００４２】
従って、接触面２２２Ｓを１０ｋＨｚ以上の高周波数で振動させることによって、接触面２２２Ｓと指の間にスクイーズ効果を発現させることができる。そのため、接触面２２２Ｓにおける手触りを変更することをコンパクトな構成で実現できる。
【００４３】
（２）本実施形態に係る電子機器１の制御方法は、スイッチ本体２１０がＯＮ状態となったことに応じて、電子機器１に係る所定処理を開始するとともに、１０ｋＨｚ以上の周波数で接触面２２２Ｓの振動を開始（又は、停止）させる工程（図３（ｂ）参照）と、所定処理が完了したことに応じて接触面２２２Ｓの振動を停止（又は、再開）する工程とを備える。
【００４４】
ここで、従来、デジタルカメラのシャッターボタンを半押しすることでオートフォーカス動作を開始した場合にはその旨を示すマーク（例えば、光の点滅）が画面に表示され、オートフォーカスが完了した場合にはその旨を示すマーク（例えば、光の点灯）が画面に表示されていた。
【００４５】
一方、本実施形態に係るスイッチ装置２０を備える電子機器１の制御方法では、接触面２２２Ｓの手触りを変更することによって、オートフォーカス動作の開始／完了をユーザに通知することができるため、ボタンの多機能化を実現することができる。
【００４６】
（他の実施形態）
本発明は以上のような実施形態に限定されるものではなく、本発明の範囲を逸脱しない範囲で種々の変形又は変更が可能である。
【００４７】
上記実施形態において、圧電／電歪装置２２０は、ボタン部２２２と接着層２２３を有することとしたが、これに限られるものではない。圧電／電歪装置２２０は、圧電／電歪素子２２１を有していればよく、ボタン部２２２と接着層２２を有していなくてもよい。圧電／電歪装置２２０がボタン部２２２と接着層２２を有していない場合、圧電／電歪素子２２１の上面（具体的には、第２電極２２１ｃの表面）が接触面２２２Ｓとなる。
【００４８】
上記実施形態では特に触れていないが、図４に示すように、スイッチ装置２０は、接触面２２２Ｓに配置される接触センサ４０を備えていてもよい。接触センサ４０は、ユーザの指が接触面２２２Ｓに接触したことを検出する。このような接触センサ４０を用いると、スイッチ本体２１０のＯＮ／ＯＦＦに関わらず、機器制御部３０による所定処理の開始や駆動制御部２４０による接触面２２２Ｓの振動の開始／停止を制御することができる。従って、ボタンのさらなる多機能化を実現することができる。
【００４９】
上記実施形態において、駆動制御部２４０は、交流電源ＡＣの交流電圧や交流周波数を制御可能であることとしたが、交流電源ＡＣの交流電圧や交流周波数は予め所定値に固定されていてもよい。この場合、駆動制御部２４０は、交流電源ＡＣに接続されていなくてもよい。
【００５０】
上記実施形態において、スイッチ本体２１０は、いわゆるメンブレンスイッチであり、自動復帰型スイッチの一種であることとしたが、これに限られるものではない。スイッチ本体２１０は、指で押下することでＯＮ／ＯＦＦ切り替え可能であればよく、タクティルスイッチ、プッシュスイッチ及びロッカースイッチなども用いることができる。
【符号の説明】
【００５１】
１        電子機器
１０      筐体
２０      スイッチ装置
２１０    スイッチ本体
２１１    メタルドーム
２１２    円板電極
２１３    離間電極
２１４    スペーサ
２２０    圧電／電歪装置
２２１    圧電／電歪素子
２２１ａ  圧電体
２２１ｂ  第１電極
２２１ｃ  第２電極
２２２    ボタン部
２２２Ｓ  接触面
２２３    接着層
２３０    スイッチ回路
Ｌ１      第１配線
Ｌ２      第２配線
ＳＷ      駆動スイッチ
ＡＣ      交流電源
２４０    駆動制御部
３０      機器制御部
【図１】
2015187933.tif 000003
【図２】
2015187933.tif 000004
【図３】
2015187933.tif 000005
【図４】
2015187933.tif 000006